(57)【要約】      （修正有）【課題】モータの効率を低下させることなく，回転子への軸の焼きばめを有効に行うことのできるコア形状を得る。【解決手段】回転子鉄心内部または，回転子鉄心表面に永久磁石を設けてなる回転子により構成され，回転子外径寸法をＤ，回転子内径寸法をｄとした場合に，複数の長穴形状の貫通孔の前記回転子鉄心中心からの距離Ｘを，前記回転子鉄心のｄ／２＜Ｘ≦Ｄ／４の位置の同一円周上に設けて，前記貫通孔の１つの貫通孔の存在範囲の前記回転子鉄心の中心からの角度Ｗが，４５°≦Ｗ＜１８０°とする。【選択図】図１
2006166543.tif 000002
【特許請求の範囲】
【請求項１】
環状のヨークと前記ヨークの内周部に配置された複数のティースとを有し、複数の前記ティース間にスロットが設けられた固定子鉄心の前記ティースに３相巻線を施してなる固定子と、前記固定子の内周に僅かな空隙を介して対向し、回転自在に保持され、回転子鉄心内部または、回転子鉄心表面に永久磁石を設けてなる回転子により構成され、回転子外径寸法をＤ、回転子内径寸法をｄとした場合に、複数の長穴形状の貫通孔の前記回転子鉄心中心からの距離Ｘを、前記回転子鉄心のｄ／２＜ｘ≦Ｄ／４の位置の同一円周上に設けて、前記貫通孔の１つの貫通孔の存在範囲の前記回転子鉄心の中心からの角度Ｗが、
４５°≦Ｗ＜１８０°
であることを特徴とした電動機。
【請求項２】
請求項１記載の電動機において、その回転子鉄心の長穴形状の貫通孔に対して、同一直径上に位置し、回転子鉄心の貫通孔に比べ、面積の小さな貫通孔を設けた端板を回転子鉄心の上下に設けたことを特徴とした電動機。
【請求項３】
請求項１又は請求項２のいずれかに記載の電動機が搭載される機器。
【発明の詳細な説明】
【技術分野】
【０００１】
本発明は、電動機及びこれを搭載した機器に関する。電動機を搭載した機器は、密閉型圧縮機、冷凍機器（冷蔵庫、冷凍庫、製氷機、ショーケース、自販機）、空気調和機（エアーコンディショナー、除湿機）、電子回路冷却システム、カーアクチュエータなどである。また、これら機器は自動車など搭載される。
【背景技術】
【０００２】
従来、一般にエアーコンディショナーや冷蔵庫の圧縮機等に使用される電動機は、図３に示すように固定子４０と回転子５０から構成されている。
【０００３】
固定子４０は、固定子鉄心４１に設けられたティース４２と、スロット４３を有する。ティース４２には、固定子鉄心４１との間に絶縁物（図示せず）を介して直接３相巻線４４Ｕ、４４Ｖ、４４Ｗが施されている。
【０００４】
また、固定子鉄心４１は、回転子５０の外周に面し、各ティース間を連結する略環状のヨーク４５を有する。
巻線は、Ｕ、Ｖ、Ｗ相の３相であり、インバータで印可電圧を制御することで、正弦波駆動や矩形波駆動を行う。
【０００５】
図４の回転子５０は、固定子４０の内側に、固定子４０と同心円状に、回転自在に保持されており、図４における回転子鉄心５１は、永久磁石５２が埋設されている埋め込み磁石型回転子を示している。
【０００６】
回転子鉄心５１の両端には端版（図示せず）が取り付けられ、回転子鉄心５１に設けられた間通孔にリベット（図示せず）を通し、かしめることで固定されている。また、軸孔５５には軸が挿入される。軸孔５５に軸を挿入する際には、回転子鉄心５１の内周部を加熱し、軸を焼きばめする。
【０００７】
従来の回転子５０の構造は、回転子の永久磁石中央部の内径側に冷媒やオイルなどを通すために、複数の円形の貫通孔５３を設けたコア形状であった。（例えば特許文献１参照）
また、図５に示すように、回転子６０の永久磁石６２に内径側に扇形状の貫通孔６３を設けたコア形状（例えば特許文献２参照。）であった。この場合の扇形状の貫通孔６３は回転子６０の質量を削減し、回転の慣性力を低下させるために抜けている。
【特許文献１】特開２００１−１８６７０１号公報
【発明の開示】
【発明が解決しようとする課題】
【０００８】
しかしながら、従来の永久磁石の内径側に円形または幅の小さな長穴の貫通孔を設けるコア形状では、回転子鉄心の内径部を加熱して、軸を焼きばめする際に熱が貫通孔の間の鉄部を伝導し、熱が逃げてしまうため温度が上がりにくく、回転子の軸が焼きばめされる内径寸法が十分に拡大されにくい。また、貫通孔間の鉄部の面積を減らすために、長穴にする代わりに幅の小さな丸穴の数を増やすと、１箇所あたりの鉄部の幅が低下してしまうので、コアの強度が低下してしまい望ましくない。
【０００９】
また、永久磁石の内側に扇形形状の貫通孔の回転子鉄心中心からの距離Ｘが、回転子外形寸法をＤとした時に、Ｘ＞Ｄ／４におよぶ部分にまで設けたコア形状では、永久磁石内側の磁気抵抗が高くなるため、モータ効率が下がってしまう。
【００１０】
本発明は、従来の課題を解決するもので、モータ効率を低下させることなく、回転子への軸の焼きばめを有効に行うことができるコア形状を提供することを目的とする。
【課題を解決するための手段】
【００１１】
上記課題を解決するために、本発明の回転子は、回転子鉄心内部または、回転子鉄心表面に永久磁石を設けてなる回転子により構成され、回転子外径寸法をＤ、回転子内径寸法をｄとした場合に、複数の長穴形状の貫通孔の前記回転子鉄心中心からの距離Ｘを、前記回転子鉄心のｄ／２＜ｘ≦Ｄ／４の位置の同一円周上に設け、前記貫通孔の１つの貫通孔の存在範囲の前記回転子鉄心の中心からの角度Ｗが４５°≦Ｗ＜１８０°とする。
【００１２】
これにより、回転子鉄心の内径部を加熱して、軸を焼きばめする時に熱を逃がさない構造とし、且つ、磁路を確保する位置に、長穴の貫通孔を設ける構造とすることによりモータ効率の低下を防ぐことができる。
【発明の効果】
【００１３】
本発明の、回転子の鉄心内部あるいは表面に設けた永久磁石の中央部の内径側に長穴形状の貫通孔２３を設ける構造では、貫通孔２３の内周側に熱が逃げにくい構造にすることで、軸孔に軸を焼きばめする際の、回転子内径寸法の拡大量を大きくすることが出来、軸の焼きばめ工程を容易にすることができる。
【発明を実施するための最良の形態】
【００１４】
以下、本発明の実施の形態を、図面を参照しながら説明する。
【００１５】
（実施の形態１）
図１は、環状のヨーク１５と前記ヨークの内周部に配置された複数のティース１２とを有し、複数の前記ティース間にスロット１３が設けられた固定子鉄心１１の前記ティースに３相集中巻線１４Ｕ、１４Ｖ，１４Ｗを施してなる固定子１０と、前記固定子の内周に僅かな空隙を介して対向し、回転自在に保持され、回転子鉄心２１の内部あるいは表面に永久磁石２２を設けてなる回転子２０により構成され、回転子外径寸法をＤ、回転子内径寸法をｄとした場合に、複数の長穴形状の貫通孔の前記回転子中心からの距離Ｘを回転子鉄心２０のｄ／２＜ｘ≦Ｄ／４の位置の同一円周上に、前記貫通孔の１つの貫通孔の存在範囲の回転子鉄心２０の中心からの角度が４５°≦Ｗ＜１８０°となる長穴形状の貫通孔２３を設ける構造である。
【００１６】
貫通孔２３を長穴形状にすることで、回転子に軸を焼きばめする際に、貫通孔２３の内周側から、熱が逃げにくくなるため、回転子の内径寸法の拡大量が大きくなり、軸の焼きばめ工程が容易となる。
【００１７】
図２に示すように、磁束線３０は隣接する異極の磁石間を結ぶため、永久磁石２２の内周側の磁路を確保するためには、貫通孔２３の位置を内径側にすることが望ましい。
（実施の形態２）
図３は、長穴の貫通孔２３を有する回転子の両端に端板３５を設けており、且つ端板３５には回転子の貫通孔２３に対し、面積の小さな貫通孔３６を有している構造である。
【００１８】
回転子の貫通孔２３の中は、冷媒とオイルの通路となっているが、端板３５に回転子の貫通孔２３に対し面積の小さな貫通孔３６を設けることにより、冷媒とオイルが貫通孔２３を通過後に、底面側の端板の斜線部に衝突し、冷媒とオイルを分離させ、冷媒とオイルの比重の違いから、オイルのみを落下させ、冷媒のみを循環させることが可能となる。
【産業上の利用可能性】
【００１９】
本発明に係る電動機は、密閉型圧縮機、冷凍機器、空気調和機等に適用でき、有用な効果を発揮できる。
【図面の簡単な説明】
【００２０】
【図１】本発明の実施の形態における回転子中に長穴形状の貫通孔を設けた電動機の断面図
【図２】本発明の実施の形態における永久磁石内径側の磁束線の流れを示す回転子の断面図
【図３】本発明の実施の形態における端板に回転子中の長穴に対し、面積の小さな貫通孔を設けた回転子の断面図
【図４】従来の電動機の断面図
【図５】従来の回転子の断面図
【符号の説明】
【００２１】
１０  固定子
１１  固定子鉄心
１２  ティース
１３  スロット
１４Ｕ、Ｖ、Ｗ  巻線
１５  ヨーク
２０  回転子
２１  回転子鉄心
２２  永久磁石
２３  貫通孔
２４  軸
３０  磁束線
３５  端板
３６  貫通孔
【図１】
2006166543.tif 000003
【図２】
2006166543.tif 000004
【図３】
2006166543.tif 000005
【図４】
2006166543.tif 000006
【図５】
2006166543.tif 000007